(57)【要約】【課題】内燃機関を搭載した車両などの排気系に設けられる消音器において、拡張作用による消音効果と干渉作用による消音効果とを十分に発揮させることが可能な消音器を提供する。【解決手段】消音器１のケーシング２には、ケーシング２内に排気ガスを導入するためのインレットパイプ３と、ケーシング２から排気ガスを導出するためのアウトレットパイプ４がケーシング２の一部を貫通して設けられている。また、アウトレットパイプ４には、その長さ方向にバイパス孔５が多数設けられている。また、ケーシング２内には、インレットパイプ３およびアウトレットパイプ４の長さ方向と略平行に区画板９が設けられている。区画板９は、複数の消音室を形成するとともに、インレットパイプ３とアウトレットパイプ４とが異なる消音室に延在するように、ケーシング２内を区画している。さらに、区画板９には、消音室同士を連通するための連通部である連通孔１０が複数設けられている。【選択図】図１
2006275037.tif 000002
【特許請求の範囲】
【請求項１】
ケーシングに排気ガスを導入するインレットパイプと排気ガスを導出するアウトレットパイプとを設けるとともに、前記インレットパイプと前記アウトレットパイプの少なくとも一方に多数のバイパス孔を長さ方向に設けた消音器において、ケーシングを区画して複数の消音室を形成するとともに、前記インレットパイプと前記アウトレットパイプとを異なる消音室に延在させ、さらに前記消音室同士を連通させたことを特徴とする消音器。
【請求項２】
１つのケーシング内を区画板により区画して複数の消音室を形成するとともに、前記区画板に連通孔を設けて前記消音室同士を連通させたことを特徴とする請求項１記載の消音器。
【請求項３】
異なるケーシングにより区画して複数の消音室を形成するとともに、前記ケーシングに連通孔を設けて前記消音室同士を連通させたことを特徴とする請求項１記載の消音器。
【請求項４】
連通パイプにより前記消音室同士を連通させたことを特徴とする請求項３記載の消音器。
【請求項５】
長さ方向の開口面積が異なるように前記消音室同士を連通させたことを特徴とする請求項１乃至４に記載の消音器。
【発明の詳細な説明】
【技術分野】
【０００１】  本発明は内燃機関を搭載した車両などの排気系に設けられる消音器に関する。
【背景技術】
【０００２】  従来、内燃機関を搭載した車両などの排気系には、排気騒音を低減する目的で消音器が設けられている。消音器は、例えば、ケーシングに排気ガスを導入するインレットパイプと排気ガスを導出するアウトレットパイプとを設けるとともに、インレットパイプとアウトレットパイプの少なくとも一方に多数のバイパス孔を長さ方向に設け、干渉による消音作用を企図したものが知られている。さらに、インレットパイプおよびアウトレットパイプと交差する方向にセパレータを設けてケーシング内を区画することにより複数の消音室を形成して、拡張による消音作用を企図したものが知られている。（特許文献１参照）
【特許文献１】特開２００３−３１４２４０号公報
【発明の開示】
【発明が解決しようとする課題】
【０００３】  しかし、上記特許文献１に記載の消音器においては、より消音量を増加させるためにインレットパイプおよびアウトレットパイプと交差する方向にセパレータを増設すると、ケーシング内で長さ方向に排気ガスが流通する際の流通抵抗が増加する。したがって、アウトレットパイプの下流側に設けたバイパス孔からアウトレットパイプに流入（短絡）する排気ガスが増加するため、セパレータを増設しても拡張による消音効果を増加させることができなかった。さらに、アウトレットパイプに設けたバイパス孔を通過する排気ガスの量が長さ方向で偏るために、干渉による消音効果も十分に発揮されなくなるという問題が生じていた。
【課題を解決するための手段】
【０００４】  前記の課題を解決するために、ケーシングに排気ガスを導入するインレットパイプと排気ガスを導出するアウトレットパイプとを設けるとともに、前記インレットパイプと前記アウトレットパイプの少なくとも一方に多数のバイパス孔を長さ方向に設けた消音器において、ケーシングを区画して複数の消音室を形成するとともに、前記インレットパイプと前記アウトレットパイプとを異なる消音室に延在させ、さらに前記消音室同士を連通させたことを特徴とする消音器である。【０００５】請求項２記載の発明は、請求項１記載の発明において、１つのケーシング内を区画板により区画して複数の消音室を形成するとともに、前記区画板に連通部を設けて前記消音室同士を連通させたことを特徴とする消音器である。【０００６】  請求項３記載の発明は、請求項１記載の発明において、異なるケーシングにより区画して複数の消音室を形成するとともに、前記ケーシングに連通部を設けて前記消音室同士を連通させたことを特徴とする消音器である。【０００７】  請求項４記載の発明は、請求項３記載の発明において、連通パイプにより前記消音室同士を連通させたことを特徴とする消音器である。【０００８】  請求項５記載の発明は、請求項１乃至４記載の発明において、長さ方向の開口面積が異なるように前記消音室同士を連通させたことを特徴とする消音器である。
【発明の効果】
【０００９】  本発明によれば、インレットパイプとアウトレットパイプとを区画して異なる消音室に延在させることにより、拡張による消音効果を効果的に発揮させることができる。さらに、ケーシング内で長さ方向に排気ガスが流通する際の流通抵抗を増加させないため、バイパス孔を通過する排気ガスの量が長さ方向で偏ることを抑制でき、干渉による消音効果を十分に発揮させることができる。
【発明を実施するための最良の形態】
【００１０】  本発明を実施するための最良の形態を図１乃至図６に示す実施例に基づいて説明する。
【実施例１】
【００１１】  図１は、実施例１の消音器１の模式図を示すもので、（ａ）平面断面図、（ｂ）は（ａ）におけるＡ−Ａ線断面図、（ｃ）は（ａ）におけるＢ−Ｂ線断面図である。【００１２】  消音器１のケーシング２は、例えば金属製の板材を筒状に成形し、両開口端に端板を接合して容器状に形成したものである。ケーシング２にはケーシング２内に排気ガスを導入するためのインレントパイプ３と、ケーシング２から排気ガスを導出するためのアウトレットパイプ４がケーシング２の一部を貫通して設けられている。また、アウトレットパイプ４には、その長さ方向にバイパス孔５が多数設けられている。【００１３】  ケーシング２内には、インレットパイプ３およびアウトレットパイプ４と交差するようにセパレータ６，７が設けられている。セパレータ６，７には多数の小孔８が設けられて、セパレータにより区画された消音室間を排気ガスが流通可能になっている。さらに、ケーシング２内には、インレットパイプ３およびアウトレットパイプ４の長さ方向と略平行に区画板９が設けられている。区画板９は、複数の消音室を形成するとともに、インレットパイプ３とアウトレットパイプ４とが異なる消音室に延在するように、ケーシング２内を区画している。また、区画板９には、消音室同士を連通するための連通部である連通孔１０が複数設けられている。【００１４】  上流側排気管（図示せず）を流通してきた排気ガスはインレットパイプ３を流通し、開口端３ａから消音室Ｋ１に流入する。その後、一部の排気ガスは区画板９に設けられた連通孔１０を通って消音室Ｋ２に流入し、その際に拡張作用により消音された後、バイパス孔５からアウトレットパイプ４に流入する。また、残りの排気ガスは、セパレータ７に設けられた小孔８を通って消音室Ｌ１に流入し、その際に拡張作用により消音される。【００１５】  その後、消音室Ｋ１に流入した排気ガスと同様に、排気ガスは区画板９に設けられた連通孔１０とセパレータ６に設けられた小孔８とを通り、それぞれ拡張作用により消音される。さらに、消音室Ｍ１に流入した排気ガスは、区画板９に設けられた連通孔１０を通る際に拡張作用により消音された後、消音室Ｍ２に流入しアウトレットパイプ４の開口端４ａからアウトレットパイプ４を流通して下流側排気管（図示せず）に導かれる。【００１６】  本実施例１においては、上述のように構成したことにより、拡張による消音効果を効果的に増加させることができる。さらに、矢印α方向に流れる排気ガスの流通抵抗を増加させることがないため、干渉作用による消音効果にも悪影響を及ぼさない。【００１７】  図２は実施例１の消音器の変形例を示す模式図である。図２に示すように、区画板は、インレットパイプとアウトレットパイプとの間に任意の数だけ設ければよい。これにより、干渉作用による消音効果に悪影響を及ぼすことなく、さらに拡張による消音効果を効果的に増加させることができる。【００１８】  図３は区画板および連通部の変形例を示す模式図である。図３（ａ）に示すように、連通部である連通孔２０は区画板１９に任意の個数を設けることができる。また、図３（ｂ）に示すように、多数の小孔３０で連通部を形成してもよい。また、図３（ｃ）に示すように、連通孔４０ａ，４０ｂ，４０ｃの開口面積が異なるようにしてもよい。また、図３（ｄ）に示すように、区画板４９ａ，４９ｂを間隙を設けて複数配置して、その間隙を連通部５０ａ，５０ｂ，５０ｃとしてもよい。【００１９】  上記実施例に示すように、区画板はインレットパイプの開口端からアウトレットパイプの開口端に至る逆流部に配置されていればよい。また、区画板と連通部の比率は、拡張による消音効果と干渉による消音効果に応じて任意に設定することができる。
【実施例２】
【００２０】  図４は、実施例２の消音器５１の模式図を示すもので、（ａ）平面断面図、（ｂ）は（ａ）におけるＣ−Ｃ線断面図、（ｃ）は（ａ）におけるＤ−Ｄ線断面図である。【００２１】  第１ケーシング６２ａと第２ケーシング６２ｂは、例えば金属製の板材を筒状に成形し、両開口端に端板を接合して容器状に形成したものである。第１ケーシング６２ａには、第１ケーシング６２ａに排気ガスを導入するためのインレットパイプ６３が、第１ケーシング６２ａの一部を貫通して設けられている。また、第２ケーシング６２ｂには、第２ケーシング６２ｂから排気ガスを導出するためのアウトレットパイプ６４が、第２ケーシング６２ｂの一部を貫通して設けられている。さらに、アウトレットパイプ６４には、その長さ方向にバイパス孔６５が多数設けられている。【００２２】  第１ケーシング６２ａ内には、インレットパイプ６３と交差するようにセパレータ６６ａ，６７ａが設けられている。また、第２ケーシング６２ｂ内には、アウトレットパイプ６４と交差するようにセパレータ６６ｂ，６７ｂが設けられている。各セパレータには多数の小孔６８が設けられて、各セパレータにより区画された消音室間を排気ガスが流通可能になっている。また、第１ケーシング６２ａと第２ケーシング６２ｂとは、連通部である連通パイプ７０が設けられて、第１ケーシング６２ａ側の消音室と第２ケーシング６２ｂ側の消音室とが連通可能になっている。【００２３】  実施例２においても実施例１と同様の作用効果を発揮することができる。さらに、連通パイプ７０を通る際に排気ガスが冷却され易いため、冷却効果による消音作用も期待することができる。【００２４】  図５は実施例２の消音器の連通パイプの変形例を示す模式図である。また、図６は実施例２の消音器の変形例を示す模式図である。連通パイプは、図５および図６に示すように、任意にその個数や長さや太さを設定することができる。また、拡張消音の必要に応じて図２の変形例と同様にケーシングを増設してもよい。【００２５】  上記実施例１、実施例２およびその変形例においては、アウトレットパイプのみに干渉孔を設けたが、インレットパイプまたはアウトレットパイプの少なくとも一方に干渉孔を設ければよい。また、ケーシングは、上記したものに限らず周知のものを採用することができる。特に、ケーシングの端部加工においては、スピニング工法によりネッキングやクロージングを施すと好適である。その他、ケーシング内に、吸音材や、触媒コンバータなどの排気浄化装置や、流路の絞りバルブや、熱回収装置を設けるなど、本発明の主旨を逸脱しない範囲で任意に設計変更することができる。
【図面の簡単な説明】
【００２６】
【図１】本発明の実施例１を示す消音器の模式図で、（ａ）平面断面図、（ｂ）は（ａ）におけるＡ−Ａ線断面図、（ｃ）は（ａ）におけるＢ−Ｂ線断面図。
【図２】実施例１の変形例を示す消音器の模式図。
【図３】実施例１の区画板の変形例を示す模式図。
【図４】本発明の実施例２を示す消音器の模式図で、（ａ）平面断面図、（ｂ）は（ａ）におけるＣ−Ｃ線断面図、（ｃ）は（ａ）におけるＤ−Ｄ線断面図。
【図５】実施例２の変形例を示す消音器の模式図。
【図６】実施例２の変形例を示す消音器の模式図。
【符号の説明】
【００２７】１，６１  消音器
２，６２ａ，６２ｂ  ケーシング
３，６３  インレットパイプ
４，６４  アウトレットパイプ
５，６５  バイパス孔
９，１９，２９，３９，４９ａ，４９ｂ  区画板
１０，２０，３０，４０ａ，４０ｂ，４０ｃ  連通孔（連通部）
５０ａ，５０ｂ，５０ｃ  連通部
７０，８０ａ，８０ｂ，９０  連通パイプ（連通部）
【図１】
2006275037.tif 000003
【図２】
2006275037.tif 000004
【図３】
2006275037.tif 000005
【図４】
2006275037.tif 000006
【図５】
2006275037.tif 000007
【図６】
2006275037.tif 000008